(57)【要約】【課題】  固有の送信パタンが挿入されていないデジタル通信システムや、良好な伝送品質の確保が困難なデジタル無線通信システムにおいても精度良くチャネル種別の識別が可能な受信装置を提供すること。【解決手段】  データ抽出部１０３は、チャネル符号化された入力データ１０１をチャネル復号処理単位でデータを抽出する。チャネル復号化部１０４は、抽出された単位ユニットのデータを予め割当てられたチャネル符号化方式に従って復号する。復号データ格納部１０５は復号されたデータを順次保存する。連送判定部１０６は保存された復号データに対しユニット毎の復号データを相互に比較することでスロットの連送が行われているかを判定する。チャネル種別識別部１０７は、スロット連送の判定結果に基づいてチャネル種別を識別する。【選択図】  図１
2007006094.tif 000002
【特許請求の範囲】
【請求項１】
複数種類のチャネル種別を用いて通信を行うデジタル通信システムの受信装置であって、
チャネル符号化された受信データからチャネル復号処理単位でデータを抽出するデータ抽出手段と、
前記データ抽出手段で抽出された単位ユニットのデータを予め割当てられたチャネル符号化方式に従って復号し、復号データを出力するチャネル復号化手段と、
前記チャネル復号化手段から出力された復号データを順次保存する復号データ格納手段と、
前記復号データ格納手段に保存された復号データに対し、ユニット毎の復号データを比較する比較手段と、
前記比較手段で比較された結果に基づいてチャネル種別を識別するチャネル種別識別手段と、
を備える受信装置。
【請求項２】
請求項１に記載の受信装置であって、
前記比較手段は、前記比較結果に基づいてスロットの連送が行われているかを判定する連送判定手段を含む受信装置。
【請求項３】
請求項１に記載の受信装置であって、
前記比較手段は、前記比較結果に基づいて所定の周期で同一のデータ列が繰り返し送出されているかを判定するデータ周期判定手段を含む受信装置。
【請求項４】
複数種類のチャネル種別を用いて通信を行うデジタル通信システムの受信装置であって、
チャネル符号化された受信データからチャネル復号処理単位でデータを抽出するデータ抽出手段と、
前記データ抽出手段で抽出された単位ユニットのデータを予め割当てられたチャネル符号化方式に従って復号し復号時の誤り情報を算出して出力する少なくとも一つの復号誤り算出手段と、
前記復号誤り算出手段により算出された誤り情報から、前記受信データのチャネル符号化方式と、前記復号誤り算出手段にて復号したチャネル符号化方式との相関値を算出するチャネル符号化方式相関手段と、
前記チャネル符号化方式相関手段で算出された相関値をもとにチャネル種別を識別するチャネル種別識別手段と、
を備える受信装置。
【請求項５】
複数種類のチャネル種別を用いて通信を行うデジタル通信システムの受信装置であって、
チャネル符号化された受信データからチャネル復号処理単位でデータを抽出するデータ抽出手段と、
前記データ抽出手段で抽出された単位ユニットのデータを予め割当てられたチャネル符号化方式に従って復号する少なくとも一つの復号化手段と、
前記復号化手段において復号したチャネル符号化方式に従って再符号化し、再符号化されたデータを出力するチャネル再符号化手段と、
前記データ抽出手段の出力と前記チャネル再符号化手段で再符号化された符号化データの相関値を算出する相関値算出手段と、
前記相関値算出手段で算出された相関値に基づいてチャネル種別を識別するチャネル種別識別手段と、
を備える受信装置。
【請求項６】
複数種類のチャネル種別を用いて通信を行うデジタル通信システムの受信装置であって、
チャネル符号化された受信データからチャネル復号処理単位でデータを抽出するデータ抽出手段と、
前記データ抽出手段で抽出された単位ユニットのデータを予め割当てられたチャネル符号化方式に従って復号し、復号データを出力するチャネル復号化手段と、
前記チャネル復号化手段から出力された復号データを順次保存する復号データ格納手段と、
前記復号データ格納手段に保存された復号データに対し、ユニット毎の復号データを比較し、前記比較結果に基づいてスロットの連送が行われているかを判定する連送判定手段と、
前記復号データ格納手段に保存された復号データに対し、ユニット毎の復号データを比較し、前記比較結果に基づいて所定の周期で同一のデータ列が繰り返し送出されているかを判定するデータ周期判定手段と、
前記データ抽出手段で抽出された単位ユニットのデータを予め割当てられたチャネル符号化方式に従って復号し復号時の誤り情報を算出して出力する少なくとも一つの復号誤り算出手段と、
前記復号誤り算出手段により算出された誤り情報から、前記受信データのチャネル符号化方式と、前記復号誤り算出手段にて復号したチャネル符号化方式との相関を算出するチャネル符号化方式相関手段と、
前記復号化手段において復号したチャネル符号化方式に従って再符号化し、再符号化されたデータを出力するチャネル再符号化手段と、
前記データ抽出手段の出力と前記チャネル再符号化手段で再符号化された符号化データの相関値を算出する相関値算出手段と、
前記連送判定手段、前記データ周期判定手段、前記チャネル符号化方式相関手段、及び前記相関値算出手段の出力結果に基づいてチャネル種別を識別するチャネル種別識別手段と、
前記チャネル復号化手段又は前記復号誤り算出手段に前記データ抽出手段により抽出されたデータを分配するデータ分配手段と、
を備える受信装置。
【発明の詳細な説明】
【技術分野】
【０００１】
本発明は、デジタル通信システムにおける受信装置に関する。
【背景技術】
【０００２】
従来のデジタル無線通信システムにおいては、システム運用時にキャリア周波数に対する制御チャネルや音声通信チャネルやデータ通信チャネルが予め規定されており、それらのチャネル種別に対するチャネル符号化方式も一意に決定されていた。このため、システムの運用開始時には、送信装置、受信装置側で個別にキャリア周波数に対するチャネル種別の設定を行っていた。
【０００３】
ところが、近年のデジタル信号処理技術の発達により、従来よりも高効率な符号化方式が考案されるとともに、デジタル通信システムにおいても従来システムとの互換性を維持したまま高効率な符号化方式も復号できるデジタル通信システムが要望されるようになり、符号化方式の自動識別が急務となっていた。
【０００４】
そこで、音声符号化方式を識別する方法として、例えば、特許文献１に記載された音声復号装置が知られている。この音声復号装置は、自己に割り当てられている所定の音声符号化方式に従って復号するＮ個の音声復号手段と、入力された符号化データに音声符号化方式に特有な特異パタンが存在するかを検出して音声符号化方式を識別する入力方式識別手段と、入力方式識別手段の識別結果に応じて出力データを切り替える出力データ切り替え手段とを備えており、音声符号化方式毎に特有な特異パタンを検出することにより音声符号化方式の識別を行う作用を有していた。
【０００５】
さらに、符号化方式の識別に加え異種の音声符号化システム間の中継にも適応可能な方法として、特許文献２に記載されたディジタル通信システムが知られている。これは、複数種のトレリス符号化器と、各トレリス符号化器を選択的に切替えて送信信号を符号化するための制御部とからなる送信装置と、トレリス符号化器の各符号則に適合した複数のビタビ復号器と、上記ビタビ復号器を選択的に切替え復号する手段と、上記送信装置から送信された信号の符号則に応じて上記復号する手段を制御する制御部とを備えており、バイオレーションの発生頻度、エラーレート、パリティーエラー、フレーム同期の有無を検出することにより符号化方式の識別を行う作用を有していた。
【０００６】
【特許文献１】特開平９−１８４２５号公報
【特許文献２】特開平５−２０７０７５号公報
【発明の開示】
【発明が解決しようとする課題】
【０００７】
しかしながら、上記公報に記載された技術では、音声符号化方式の識別を行うものであり、チャネル種別の識別を行うものではない。さらに、符号化データに固有の送信パタンが挿入されていないデジタル通信システムでは適応が困難であり、また、無線通信回線で生じる遅延波やフェージングによるビット誤りやバースト誤り、またはランダム誤りが発生するような良好な伝送品質の確保が困難であるデジタル無線通信システムでは精度良く符号化方式を識別することができないという事情があった。
【０００８】
本発明は、上記従来の事情に鑑みてなされたものであって、固有の送信パタンが挿入されていないデジタル通信システムや、良好な伝送品質の確保が困難なデジタル無線通信システムにおいても精度良くチャネル種別の識別が可能な受信装置を提供することを目的とする。
【課題を解決するための手段】
【０００９】
本発明の受信装置は、複数種類のチャネル種別を用いて通信を行うデジタル通信システムの受信装置であって、チャネル符号化された受信データからチャネル復号処理単位でデータを抽出するデータ抽出手段と、前記データ抽出手段で抽出された単位ユニットのデータを予め割当てられたチャネル符号化方式に従って復号し、復号データを出力するチャネル復号化手段と、前記チャネル復号化手段から出力された復号データを順次保存する復号データ格納手段と、前記復号データ格納手段に保存された復号データに対し、ユニット毎の復号データを比較する比較手段と、前記比較手段で比較された結果に基づいてチャネル種別を識別するチャネル種別識別手段と、を備える。
【００１０】
この構成により、順次保存された復号データを比較してチャネル種別を識別するので、良好な伝送品質の確保が困難なデジタル無線通信システムにおいても容易にチャネル種別の識別が可能であり、さらに、識別されたチャネル種別から所望のチャネル符号化方式を限定して選択できるため、受信したチャネルにおけるチャネル符号化方式の識別精度を向上することができる。
【００１１】
また、本発明の受信装置において、前記比較手段は、前記比較結果に基づいてスロットの連送が行われているかを判定する連送判定手段を含む。
【００１２】
この構成により、例えば、制御チャネルにおいて、規定回数分、スロットが繰り返し連送されるデジタル通信システムの場合、連送判定手段ではデジタル無線通信システムの制御チャネルにおいて伝送品質を確保するためにレイヤ１プロトコルで規定されたスロットの連送を判定し、バースト誤りやフロアの影響によるランダム誤りが生じても、連送の効果を余すことなく最大限有効に利用することで受信チャネルのチャネル種別を精度良く識別可能である。これにより、良好な伝送品質の確保が困難なデジタル無線通信システムにおいても容易にチャネル種別の識別が可能であり、さらに、連送されたチャネル種別の識別ができることにより制御チャネルと通信チャネル各々で複数あるチャネル符号化方式の中から所望のチャネル符号化方式を限定して選択できるため、受信したチャネルにおけるチャネル符号化方式の識別精度を向上することができる。
【００１３】
また、本発明の受信装置において、前記比較手段は、前記比較結果に基づいて所定の周期で同一のデータ列が繰り返し送出されているかを判定するデータ周期判定手段を含む。
【００１４】
この構成により、データ周期判定手段では無線回線を用いたデジタル通信システムの制御チャネルで繰返し送出されるデータ列の検出が行えることから、受信チャネルのチャネル種別が識別可能である。さらに、バースト誤りやフロアの影響によるランダム誤りについても検出に用いる比較対象データ数を多く確保できることからチャネル種別の識別を精度良く行うことができる。さらに、チャネル種別の識別により制御チャネルと通信チャネル各々でのチャネル符号化方式を限定することができるため受信したチャネルにおけるチャネル符号化方式の識別精度を向上できる。
【００１５】
また、本発明の受信装置は、複数種類のチャネル種別を用いて通信を行うデジタル通信システムの受信装置であって、チャネル符号化された受信データからチャネル復号処理単位でデータを抽出するデータ抽出手段と、前記データ抽出手段で抽出された単位ユニットのデータを予め割当てられたチャネル符号化方式に従って復号し復号時の誤り情報を算出して出力する少なくとも一つの復号誤り算出手段と、前記復号誤り算出手段により算出された誤り情報から、前記受信データのチャネル符号化方式と、前記復号誤り算出手段にて復号したチャネル符号化方式との相関値を算出するチャネル符号化方式相関手段と、前記チャネル符号化方式相関手段で算出された相関値をもとにチャネル種別を識別するチャネル種別識別手段と、を備える。
【００１６】
この構成により、チャネル符号化方式相関手段では復号時のパリティやＣＲＣの誤り検出結果、またはパスメトリック値を用いることにより受信したチャネルと予め割り当てられたチャネル符号化方式との相関を算出することができるので、チャネル種別識別手段ではその相関結果から受信したチャネルにおけるチャネル種別及びチャネル符号化方式の識別が可能である。
【００１７】
また、本発明の受信装置は、複数種類のチャネル種別を用いて通信を行うデジタル通信システムの受信装置であって、チャネル符号化された受信データからチャネル復号処理単位でデータを抽出するデータ抽出手段と、前記データ抽出手段で抽出された単位ユニットのデータを予め割当てられたチャネル符号化方式に従って復号する少なくとも一つの復号化手段と、前記復号化手段において復号したチャネル符号化方式に従って再符号化し、再符号化されたデータを出力するチャネル再符号化手段と、前記データ抽出手段の出力と前記チャネル再符号化手段で再符号化された符号化データの相関値を算出する相関値算出手段と、前記相関値算出手段で算出された相関値に基づいてチャネル種別を識別するチャネル種別識別手段と、を備える。
【００１８】
この構成により、受信したチャネルのチャネル種別が予め不明な場合においても、相関値算出手段では入力データと再符号化されたデータとの相関が算出可能であることから、チャネル種別識別手段ではその相関結果から受信したチャネルにおけるチャネル種別及びチャネル符号化方式の識別が可能である。さらに、１つのチャネル内に複数の機能チャネルが付随された場合においても、チャネル種別及びチャネル符号化方式の識別が可能である。
【００１９】
また、本発明の受信装置は、複数種類のチャネル種別を用いて通信を行うデジタル通信システムの受信装置であって、チャネル符号化された受信データからチャネル復号処理単位でデータを抽出するデータ抽出手段と、前記データ抽出手段で抽出された単位ユニットのデータを予め割当てられたチャネル符号化方式に従って復号し、復号データを出力するチャネル復号化手段と、前記チャネル復号化手段から出力された復号データを順次保存する復号データ格納手段と、前記復号データ格納手段に保存された復号データに対し、ユニット毎の復号データを比較し、前記比較結果に基づいてスロットの連送が行われているかを判定する連送判定手段と、前記復号データ格納手段に保存された復号データに対し、ユニット毎の復号データを比較し、前記比較結果に基づいて所定の周期で同一のデータ列が繰り返し送出されているかを判定するデータ周期判定手段と、前記データ抽出手段で抽出された単位ユニットのデータを予め割当てられたチャネル符号化方式に従って復号し復号時の誤り情報を算出して出力する少なくとも一つの復号誤り算出手段と、前記復号誤り算出手段により算出された誤り情報から、前記受信データのチャネル符号化方式と、前記復号誤り算出手段にて復号したチャネル符号化方式との相関を算出するチャネル符号化方式相関手段と、前記復号化手段において復号したチャネル符号化方式に従って再符号化し、再符号化されたデータを出力するチャネル再符号化手段と、前記データ抽出手段の出力と前記チャネル再符号化手段で再符号化された符号化データの相関値を算出する相関値算出手段と、前記連送判定手段、前記データ周期判定手段、前記チャネル符号化方式相関手段、及び前記相関値算出手段の出力結果に基づいてチャネル種別を識別するチャネル種別識別手段と、前記チャネル復号化手段又は前記復号誤り算出手段に前記データ抽出手段により抽出されたデータを分配するデータ分配手段と、を備える。
【００２０】
この構成により、チャネル種別識別手段では、フレーム内の各スロットのチャネル種別構成が予め規定された時分割多重方式を用いたデジタル通信システムにおいて受信したチャネルのチャネル種別が不明である場合でも、既に確定されたスロットのチャネル種別情報を利用することにより未確定スロットのチャネル種別を精度良く識別することができる。また、データ分配手段を設けることにより、不必要な演算を削減することができる。
【発明の効果】
【００２１】
本発明によれば、固有の送信パタンが挿入されていないデジタル通信システムや、良好な伝送品質の確保が困難なデジタル無線通信システムにおいても精度良くチャネル種別の識別が可能な受信装置を提供することができる。
【発明を実施するための最良の形態】
【００２２】
以下、本発明の実施の形態について、図面を用いて説明するが、先ず、代表的なＴＤＭＡ／ＴＤＤ方式のデジタル無線通信システムについて説明する。
【００２３】
例えば、デジタル無線通信システム一例として、通信制御装置と、中継局装置と、複数のユーザ無線局装置とを備える構成として、中継局装置−ユーザ無線局装置間、ユーザ無線局装置−ユーザ無線局装置間での通信を行うシステムが挙げられる。通信制御装置では中継局装置−ユーザ無線局装置間の無線回線の接続制御を行っている。また、中継局装置ではシステムに割り当てられた周波数帯の中から無線キャリアが割り当てられ、その無線キャリアをフレームに分割し、さらにフレームをスロット分けして、そのスロットに制御用チャネル（Ｃ）と通信用チャネル（Ｓ）を割り当てている。
【００２４】
なお、制御用チャネル（Ｃ）は回線の接続制御を行うチャネルであり、通信用チャネル（Ｓ）は音声通話や非音声データ通信等を行うチャネルである。また、通信用チャネルでは通信の都度、通信制御装置から個別に指定された機能チャネルで通話が行われる。また、無線キャリアへのチャネル割り当てについては、例えば１フレーム４スロット構成である場合には「ＣＳＳＳ」、「ＳＳＳＣ」や「ＳＳＳＳ」というように、システム毎に複数種類のチャネルタイプが存在している。なお、制御用チャネルや通信用チャネルでは、伝送される機能チャネルによって符号化方式が個別に決定されている。
【００２５】
次に、デジタル無線通信システムの回線接続手順の説明を行う。まず、発信するユーザ無線局装置は、制御用チャネル（Ｃ）で接続要求信号を送信し、接続要求信号を受信した中継局装置は通信制御装置に接続要求信号を転送し、通信制御装置は通信用チャネル（Ｓ）の中から空いているチャネルを当該通信用チャネルとして設定すると共に、中継局装置を経由してユーザ無線局装置に通知して通信チャネルの切り替えを行ってる。このため、通信を開始するためには制御用チャネルが予め既知の無線キャリアに割り当てられているか、制御用チャネルを識別する機能が必要となる。以下、本発明の第１〜第５の実施形態について、図１〜図９を用いて説明する。
【００２６】
（第１の実施形態）
図１は、本発明の第１の実施形態に係る受信装置の概略構成を示すブロック図である。図１に示すように、第１の実施形態に係る受信装置１０１は、入力データ１０２をチャネル復号処理単位で出力するデータ抽出部１０３と、予め割り当てられたチャネル符号化方式に従って復号を行い復号データを出力するチャネル復号部１０４と、チャネル復号部１０４から出力された復号データを順次保存する復号データ格納部１０５と、復号データ格納部１０５に保存された復号データを復号単位で相互に比較して連送を判定する連送判定部１０６と、チャネル種別を判定するチャネル種別識別部１０７とを備える。
【００２７】
以上のように構成された受信装置１０１について、その動作を説明する。まず、データ抽出部１０３では、送信側でチャネル符号化された入力データ１０２に対しチャネル復号化処理を行う最小単位であるスロット単位にデータを区切って抽出する。
【００２８】
データ抽出部１０３で抽出されたスロット単位のデータは、チャネル復号化部１０４で予め割当てられたチャネル符号化方式に従ってチャネル復号化され、復号結果である復号データを復号データ格納部１０５へ出力する。復号データ格納部１０５では、復号データを順次格納し保存していく。
【００２９】
次に、連送判定部１０６では、復号データ格納部１０５に格納されたスロット毎の復号データに対して、フレーム単位で復号データを相互に比較していく。安定して回線品質が確保される環境下では、連送回数に応じて復号データが連送回数分一致することから、連送されていると判定できる。
【００３０】
また、Ｎ連送されるチャネル種別でＭ連送目（Ｎ≧Ｍ）に伝送路上にバースト誤りが付加された場合でも、Ｍ連送目以外の復号データを比較すれば連送判定可能である。さらに、定常的に低レートの誤りが付加されるような環境下においても、復号データ相互の誤り率が伝送路上の平均誤り率とほぼ同程度であることから相互の誤り率もほぼ等しくなるため同様に連送判定可能である。
【００３１】
また、予め誤り率に対して閾値を持ち、閾値以下での誤りは同一データとみなすことにすれば、一定精度以上で連送判定可能である。また、連送数に応じて比較対象フレームを増やすことにより、連送判定の識別精度を向上させてもよい。また、受信中のチャネルにおいて復号データの相互比較により相関が見られない場合は連送されていないと判断する。
【００３２】
次に、チャネル種別識別部１０７では連送判定部１０６の判定結果により連送されたチャネル種別を識別する。
【００３３】
ここで、デジタル無線通信システムにおいては、連送が行われるチャネル種別は、制御チャネルのようにシステムの運用上、重要な情報を報知するチャネル種別で使用されることから、連送されたチャネルの識別を行うことは制御チャネルの識別に他ならない。
【００３４】
従来のデジタル通信システムでは予め受信装置側で制御チャネルを受信するための初期設定を手動で行う必要があった。表１は、無線通信システムの一例を示す表である。
【表１】
2007006094.tif 000003
【００３５】
例えば、表１に記載されたように、無線システムが３つのキャリア周波数Ｆ１〜Ｆ３を有する場合、各々のキャリア周波数に対するチャネルタイプに合わせて、キャリア周波数と制御チャネルのスロット場号との組合せ等を設定する必要がある。従来、この設定は手動で行う必要があった。また、キャリア周波数Ｆ１やＦ３の周波数用のリンク回線や送信アンテナ等で障害が起こると、制御チャネルにて伝送される無線制御情報の受信ができなくなるため、システム障害が発生し、無線システムの運用が不可能となってしまう。そこで、障害が発生していないキャリア周波数Ｆ２に制御チャネルを配置したとしても、受信装置は、制御チャネルが再配置された情報を入手することができないため、システム運用を再開することができないものであった。
【００３６】
一方、本発明の実施形態では、制御チャネルを識別することができるので、制御チャネルの初期設定を手動で行う手間を省くことがきる。また、例えば、表１に示した例では、キャリア周波数Ｆ１又はＦ３を用いた通信に障害が発生した場合に、キャリア周波数Ｆ２に制御チャネルを再配置しても、受信側は自動的に制御チャネルを識別し、キャリア周波数Ｆ２を用いた通信にて継続することができる。したがって、システムの保守・メンテナンス時でも、制御チャネルを他のチャネルに代替割り当てることによりシステムの運用を止める必要がない。さらに制御チャネルに起因するシステム障害が生じた際も、制御チャネルを他のキャリア周波数へ代替割り当て可能であることから、受信装置側で制御チャネルの再設定を行うことなく、迅速にシステム障害から復旧させることができるという効果も得られる。
【００３７】
以上のように、本発明の第１の実施形態によれば、安定した伝送品質が確保されないデジタル無線通信システムにおいても、受信したチャネルの制御チャネル識別が可能であり、容易にデジタル通信システムのメンテナンス性を高めることができるという効果を有する。
【００３８】
（第２の実施形態）
図２は、本発明の第２の実施形態に係る受信装置の概略構成を示すブロック図である。なお、第１の実施形態で説明した図１と重複する部分については同一の符号を付し、その説明を省略する。
【００３９】
図２に示すように、第２の実施形態に係る受信装置２０１は、データ抽出部１０３と、チャネル復号部１０４と、復号データ格納部１０５と、復号データ格納部１０５に時系列的に保存された復号データに対し復号データがある一連のデータ列で繰返し送出されているかを判定するデータ周期判定部２０２と、チャネル種別を判定するチャネル種別識別部２０３とを備える。
【００４０】
以上のように構成された受信装置２０１について、その動作を説明する。データ周期判定部２０２では、復号データ格納部１０５に格納されたスロット毎の復号データに対して、ある一連の周期で復号データが繰返し送出されていないかを検出する。チャネル種別識別部２０３では、データ周期判定部２０２で周期的なデータが判定された場合、チャネル種別を制御チャネルと識別する。
【００４１】
ここで、制御チャネルはシステムの運用上、常送されるのが一般的であることと、他のチャネル種別と比較して特有のメッセージが繰り返し報知されていることから、チャネル種別識別部２０３において制御チャネルの識別が可能になる。また、メッセージ長が多いほど、又はメッセージの種類が多いほど受信データの比較回数を増やせることから、それに対応してチャネル種別の識別精度を高めることができるという作用を有する。
【００４２】
この制御チャネルを識別できることにより、従来のデジタル通信システムでは予め受信装置側で制御チャネルを受信するための初期設定を手動で行う必要があったが、その手間が省けることに加え、システムの保守・メンテナンス時でも、制御チャネルを他のチャネルに割り当てることによりシステムの運用を止める必要がない。さらに制御チャネルに起因するシステム障害が生じた際も、受信装置側で制御チャネルの再設定をすることなく、システム障害からの復旧を迅速に行うことができるという効果が得られる。
【００４３】
以上のように本発明の第２の実施の形態によれば、繰返し同じデータ列が送出されている制御チャネルを識別することができるため、容易にデジタル通信システムのメンテナンス性を高めることができるという効果を有する。
【００４４】
（第３の実施形態）
図３は、本発明の第３の実施形態に係る受信装置の概略構成を示す図である。なお、第１の実施形態で説明した図１と重複する部分については同一の符号を付し、その説明を省略する。
【００４５】
図３に示すように、第３の実施形態の受信装置３０１は、予め割当てられたチャネル符号化方式に従って復号を行い復号時の誤り情報を算出して出力する複数の復号誤り算出部３０２と、復号誤り算出部３０２の各々に対応して予め割り当てられたチャネル符号化方式との相関を判定するチャネル符号化方式相関部３０３と、チャネル符号化方式相関部３０３の各々の判定結果からチャネル種別を識別するチャネル種別識別部３０４とを備える。なお、本実施形態では、復号誤り算出部３０２及びチャネル符号化方式相関部３０３が複数設けられている例について説明するが、これらは少なくとも一つずつ設けられればよい。
【００４６】
以上のように構成された受信装置３０１について、その動作を説明する。データ抽出部１０３で抽出されたスロット単位のデータは、復号誤り算出部３０２において、予め割り当てられているチャネル符号化方式に従ってチャネル復号化され、復号時のパリティ誤り検出結果、ＣＲＣの誤り検出結果、同期ワードやプリアンブルなどの既知の固定ワードとの誤り検出結果、パスメトリックなどの誤り情報を出力する。なお、複数の復号誤り算出部３０２には、各々異なるチャネル符号化方式が割り当てられている。
【００４７】
次に、チャネル符号化方式相関部３０３では、復号誤り算出部３０２から出力された誤り情報から、入力されたデータ１０２のチャネル符号化方式と、復号誤り算出部３０２にて復号したチャネル符号化方式との相関を求める。この際、パリティやＣＲＣの誤り検出において誤りが検出されない場合には相関値が高くなるように算出するものとする。
【００４８】
そして、チャネル種別識別部３０４ではチャネル符号化方式相関部３０３の相関出力から相関値が高いものをそのチャネル符号化方式で符号化されたデータである可能性が高いと判定し、その判定されたチャネル符号化方式から、チャネル種別を識別する。
【００４９】
このチャネル種別を識別するという作用により、従来のデジタル通信システムでは予め受信装置側で制御チャネルを受信するための初期設定を手動で行う必要があったが、その手間が省けることに加えシステムの保守・メンテナンス時でも、制御チャネルを他のチャネルに割り当てることによりシステムの運用を止める必要がなく、さらに制御チャネルに起因するシステム障害が生じた際も、受信装置で制御チャネルの再設定をすることなく、システム障害からの復旧を迅速に行うことができるという効果が得られる。なお、本実施形態は通信用チャネルのチャネル種別識別にも対応可能である。また、チャネル符号化方式相関部３０３を複数持つことにより、同時に複数のチャネル符号化方式の判定を行うことができる。
【００５０】
以上のように本発明の第３の実施形態によれば、復号時の誤り情報からチャネル種別を識別することが可能であり、容易にデジタル通信システムのメンテナンス性を高めることができるという効果を有する。
【００５１】
なお、チャネル種別識別部３０４では、通常運用で使用される確率の高いチャネル種別には識別時に重み付けを行ってから判定してもよい。これにより、チャネル種別識別精度をさらに向上させることが可能となる。
【００５２】
（第４の実施形態）
図４は、本発明の第４の実施形態に係る受信装置の概略構成を示すブロック図である。なお、第１の実施形態で説明した図１と重複する部分については同一の符号を付し、その説明を省略する。
【００５３】
図４に示すように、第４の実施形態の受信装置４０１は、複数のチャネル復号化部１０４を有し、チャネル復号化部１０４の各々の出力に対して再符号化を行う複数のチャネル再符号化部４０２と、データ抽出部１０３の出力の各々とチャネル再符号化部４０２の出力との比較を行い、相関値を算出して出力する複数の相関値算出部４０３と、複数の相関値算出部４０３の相関出力からチャネル種別を識別するチャネル種別識別部４０４とを備える。なお、本実施形態では、チャネル復号化部１０４、チャネル再符号化部４０２及び相関値算出部４０３が複数設けられている例について説明するが、これらは少なくとも一つずつ設けられればよい。
【００５４】
以上のように構成された受信装置４０１について、その動作を説明する。データ抽出部１０３で抽出されたスロット単位のデータは、複数のチャネル復号化部１０４で予め割当てられているチャネル符号化方式に従ってチャネル復号され復号データを出力する。なお、複数のチャネル復号化部１０４には、各々異なるチャネル符号化方式が割り当てられている。
【００５５】
チャネル復号化部１０４で復号された復号データはチャネル復号化部１０４に１対１に対応したチャネル再符号化部４０２で、前段のチャネル復号化部１０４に割り当てられたチャネル符号化方式にて再度チャネル符号化され、相関値算出部４０３へ出力される。
【００５６】
相関値算出部４０３ではデータ抽出部１０３で抽出されたスロット単位のデータとチャネル再符号化部４０２でチャネル再符号化されたチャネル符号化データとを比較し相関値の算出を行う。ここで、相関値の算出にはデータ同士の比較を行い相違するビット数が少ないほど高い相関値にすると良い。
【００５７】
そして、チャネル種別識別部４０４では、相関値算出部４０３で算出された相関出力から相関値が高いものをそのチャネル符号化方式で符号化されたデータである可能性が高いと判断することで、その判定されたチャネル符号化方式から、チャネル種別を識別する。
【００５８】
このチャネル種別が識別できるという作用により、従来のデジタル通信システムでは予め受信装置側で制御チャネルを受信するための初期設定を手動で行う必要があったが、その手間が省けるとともに送信装置側でチャネル種別の変更が容易となり汎用性の高いデジタル通信システムが構築できるという効果が得られる。
【００５９】
次に、一つのチャネル内に複数の機能チャネルが付随された場合について説明する。図５は、本発明の実施形態に係るデータのスロットフォーマットとビット配分の一例を示す図であり、図５（Ａ）は制御チャネル、図５（Ｂ）は第１通信チャネル、図５（Ｃ）は第２通信チャネルのスロットフォーマット例をそれぞれ示す。また、図６は、本発明の実施形態に係る各チャネルのチャネル符号化方式の一例を示す図である。
【００６０】
図５（Ａ）に示すように、制御チャネルのスロットＣは、隣接スロットとの緩衝を避けるためのガード用のＧ部と、制御情報用のＢＣ部と、無線情報用のＲＩ部と、同期ワード用のＳＷ部とを有して構成される。
【００６１】
図５（Ｂ）に示すように、第１通信チャネルのスロットＳ１は、隣接スロットとの緩衝を避けるためのガード用のＧ部と、音声データ又は非音声データ用のＴＣＨ部と、無線情報用のＲＩ部と、同期ワード用のＳＷ部と、低速付随チャネルと呼ばれ、低速のデータ通信用のＳＡＣＣＨ部とを有して構成される。
【００６２】
図５（Ｃ）に示すように、第２通信チャネルのスロットＳ２は、隣接スロットとの緩衝を避けるためのガード用のＧ部と、高速付随チャネルと呼ばれシグナリングやユーザパケット情報用として使用されるＦＡＣＣＨ部と、無線情報用のＲＩ部と、同期ワード用のＳＷ部と、低速付随チャネルと呼ばれ、低速のデータ通信用のＳＡＣＣＨ部とを有して構成される。
【００６３】
そして、これらの制御チャネルＣ、第１通信チャネルＳ１、第２通信チャネルＳ２のチャネル符号化方式は、例えば、図６に示すように規定されている。
【００６４】
ところで、このように、一つのチャネル内に複数の機能チャネルが付随された場合には、一つのチャネル符号化方式の中に、機能チャネル毎に定まる複数の符号化方式が含まれる。したがって、一つの機能チャネルに対して再符号化の相関値を算出したとしても同じになってしまう場合（ＳＡＣＣＨのみに対して再符号化の相関値を算出した場合、第１通信チャネルＳ１のチャネル符号化方式なのか、第２通信チャネルＳ２のチャネル符号化方式なのかの区別がつかない）や、対象となる機能チャネルのシンボル数配分が異なる（ＢＣとＴＣＨ）等の理由によって、チャネル符号化方式の識別を精度よく行うことができない。
【００６５】
そこで、本発明の実施形態では、複数の符号化方式（複数の機能チャネル）を含むチャネル符号化方式に応じて相関値の算出を行うことにより、精度よくチャネル符号化方式及びチャネル識別が可能となる。
【００６６】
例えば、図５及び図６に示すチャネルの識別を行うための方法の一例として、相関値を「元データと再符号化したデータとを比較して同じになるビット数」と定義して、相関値が最大になるチャネル符号化方式を選択する方法が挙げられ、以下にその一例を示す。
（１）制御チャネルＣの相関値＝ＢＣ部の相関値
（２）第１通信チャネルＳ１の相関値＝ＴＣＨ部の相関値＋ＳＡＣＣＨ部の相関値
（３）第２通信チャネルＳ２の相関値＝ＦＡＣＣＨの相関値＋ＳＡＣＣＨの相関値
【００６７】
図７は、本発明の第４の実施形態に係る相関値算出方法の例を示す説明図である。図７の例では、復号化、符号化、相関値算出は、図５に示す第１通信チャネルＳ１のチャネル符号化方式にて復号化、符号化、相関値算出を行う場合について説明する。また、元データは、図５に示す第１通信チャネルＳ１のデータとする。
【００６８】
チャネル復号化部１０４は、自身に割り当てられたチャネル符号化方式に基づいて、元データを復号化する。図７では、第１通信チャネルＳ１のチャネル符号化方式である符号化方式Ｂ及び符号化方式Ｃを用いて復号化している。そして、チャネル再符号化部４０１は、前段のチャネル復号化部１０４で用いたチャネル符号化方式にて、復号化されたデータを再符号化する。このようにして再符号化データが生成される。
【００６９】
そして、相関値算出部４０３は、元データと再符号化データとの相関値を算出するものであり、図７の例では、第１通信チャネルＳ１のチャネル符号化方式に応じた相関値を算出するものであるので、元データ及び再符号化データのＴＣＨ部（ＴＣＨとＴＣＨ’）、ＳＡＣＣＨ部（ＳＡＣＣＨとＳＡＣＣＨ’）の各々について、ビット毎の排他的論理和（ＴＣＨ＾ＴＣＨ’、ＳＡＣＣＨ＾ＳＡＣＣＨ’：＾は排他的論理和を示す）を求め、一致するビット数をカウントする。そして、各々の部分にてカウントされた一致ビット数を加算することで相関値として出力する。
【００７０】
したがって、元データが図７のように第１通信チャネルＳ１のデータであれば、ＴＣＨとＴＣＨ’、ＳＡＣＣＨとＳＡＣＣＨ’が、それぞれ一致する部分が多くなるので、相関値が高くなる。そして、チャネル種別識別部４０４は、高い相関値が算出されるチャネル符号化方式を判定し、そのチャネル符号化方式からチャネル種別を識別する。
【００７１】
図８は、本発明の実施形態に係るチャネル種別とチャネル符号化方式との対応例を示す図である。チャネル種別識別部４０４は、例えば、図８に示す対応表を保持することにより、チャネル符号化方式からチャネル種別を識別する。
【００７２】
図８に示す例では、制御チャネルのチャネル符号化方式として４種類、通信チャネルのチャネル符号化方式として４種類の計８種類のチャネル符号化方式がある。この場合、図４に示すチャネル復号化部１０４−チャネル再符号化部４０２−相関値算出部４０３の系を、各々のチャネル符号化方式に応じて８個並列に配置し、チャネル種別判定部４０４において、８個の相関値算出部４０３からの出力を比較し、最も相関値が高いものに割り当てられたチャネル符号化方式を定めることで、対応するチャネル種別を識別することができる。
【００７３】
このように、１つのチャネル内に複数の機能チャネルが付随された場合においても、チャネル種別及びチャネル符号化方式を高精度に識別することが可能となる。
【００７４】
以上のように本発明の第４の実施形態によれば、チャネル復号化前のチャネル符号化データとチャネル再符号化データの比較を行うことによりチャネル符号化方式及びチャネル種別を識別することが可能であり、容易にデジタル通信システムのメンテナンス性を高めることができるという効果を有する。
【００７５】
なお、チャネル種別識別部４０４では、通常運用で使用される確率の高いチャネル種別には識別時の相関値に重みをつけてチャネル識別を行ってもよい。これにより、チャネル種別の識別精度をさらに高めることが可能となる。
【００７６】
（第５の実施形態）
図９は、本発明の第５の実施形態に係る受信装置の概略構成を示すブロック図である。なお、第１〜第４の実施形態で説明した図１〜図４と重複する部分については同一の符号を付し、その説明を省略する。
【００７７】
図９に示すように、受信装置５０１は、データ抽出部１０３からの出力データを分配して、チャネル復号部１０４又は復号誤り算出部３０２出力するデータ分配部５０２と、連送判定部１０６、データ周期判定部２０２、チャネル符号化方式相関部３０３、及び相関値算出部４０３の出力からチャネル種別を識別するチャネル種別識別部５０３とを備える。
【００７８】
以上のように構成された受信装置５０１について、その動作を説明する。まず、データ抽出部１０３では、送信側でチャネル符号化された入力データ１０２に対しチャネル復号化処理を行うスロット単位でデータを区切って抽出し、データ分配部５０２へと出力する。データ分配部５０２ではデータ抽出部１０３からの入力を適宜分配して出力を行う。次に、データ分配部５０２からの出力により、チャネル種別識別部５０３において、本発明の第１〜４の実施の形態で述べたチャネル種別及びチャネル符号化方式の相関算出を同様に行う。なお、チャネル種別識別部５０３は、例えば、図８に示す対応表を保持することにより、チャネル符号化方式からチャネル種別を識別する。
【００７９】
なお、チャネル種別識別部５０３では、既に確定された他スロットのチャネル種別情報を記憶しておくことにより、運用中のシステムで用いられるチャネル種別の構成情報と照らし合わせて可能性のある識別チャネルを限定してもよい。チャネル種別及びチャネル符号化方式の識別を精度良く行うことができる。
【００８０】
さらに、チャネル識別判定部５０３がチャネル種別識別結果及び制限されたチャネル種別情報をデータ分配部５０２へフィードバックし、データ分配部５０２ではデータの出力先を選択することにより、冗長な処理を削減することができ、消費電流の削減、回路規模の削減ができる。
【００８１】
次に、第１〜第５の実施形態の受信装置が適用される受信処理全体の手順について説明する。受信装置が受信開始すると、同期を獲得し、チャネル種別を識別する。このチャネル種別の識別に、本発明の第１〜第５の実施形態で説明したチャネル種別の識別方法を適用することで、精度よくチャネル種別を識別することができる。
【００８２】
その後、無線情報ビット信号ＲＩ（図７参照）を復号し、無線情報ビット信号ＲＩの復号結果とチャネル種別とからチャネル符号化方式を判定し、チャネル復号化を行う。なお、本発明の実施形態では、チャネル種別の識別時にチャネル符号化方式が識別されているので、無線情報ビット信号ＲＩの復号を省略し、識別されているチャネル符号化方式にてチャネル復号化を行ってもよい。
【００８３】
チャネル復号化がなされると、音声情報や、無線情報、制御情報、データ情報等の機能チャネルを分離する。その後、その情報毎に処理を行う。例えば、音声情報であれば、音声符号化方式を識別し、音声の再生処理に進む。
【産業上の利用可能性】
【００８４】
本発明の受信装置は、固有の送信パタンが挿入されていないデジタル通信システムや、良好な伝送品質の確保が困難なデジタル無線通信システムにおいても精度良くチャネル種別の識別が可能な効果を有し、デジタル無線通信システムの受信装置等に有用である。
【図面の簡単な説明】
【００８５】
【図１】本発明の第１の実施形態に係る受信装置の概略構成を示すブロック図
【図２】本発明の第２の実施形態に係る受信装置の概略構成を示すブロック図
【図３】本発明の第３の実施形態に係る受信装置の概略構成を示すブロック図
【図４】本発明の第４の実施形態に係る受信装置の概略構成を示すブロック図
【図５】本発明の実施形態に係るデータのスロットフォーマットとビット配分の一例を示す図
【図６】本発明の実施形態に係る各チャネルのチャネル符号化方式の一例
【図７】本発明の第４の実施形態に係る相関値算出方法の例を示す説明図
【図８】本発明の実施形態に係るチャネル種別とチャネル符号化方式との対応例を示す図
【図９】本発明の第５の実施形態に係る受信装置の概略構成を示すブロック図
【符号の説明】
【００８６】
１０１  受信装置
１０２  入力データ
１０３  データ抽出部
１０４  チャネル復号化部
１０５  復号データ格納部
１０６  連送判定部
１０７  チャネル種別判定部
２０１  受信装置
２０２  データ周期判定部
２０３  チャネル種別判定部
３０１  受信装置
３０２  復号誤り算出部
３０３  チャネル符号化方式相関部
３０４  チャネル種別判定部
４０１  受信装置
４０２  チャネル再符号化部
４０３  相関値算出部
４０４  チャネル種別判定部
５０１  受信装置 
５０２  データ分配部
５０３  チャネル種別判定部
【図１】
2007006094.tif 000004
【図２】
2007006094.tif 000005
【図３】
2007006094.tif 000006
【図４】
2007006094.tif 000007
【図５】
2007006094.tif 000008
【図６】
2007006094.tif 000009
【図７】
2007006094.tif 000010
【図８】
2007006094.tif 000011
【図９】
2007006094.tif 000012